(57)【要約】  本発明の一形態に係るユーザ装置は、周波数帯に応じて定義されたプリアンブルフォーマットの候補又はランダムアクセス設定情報の候補を記憶する設定情報記憶部と、基地局から、当該基地局とのランダムアクセスに用いられるプリアンブルフォーマット又はランダムアクセス設定情報の指示を受信する受信部と、前記設定情報記憶部から、前記基地局とのランダムアクセスに用いられるプリアンブルフォーマットの候補又はランダムアクセス設定情報の候補を選択し、前記選択された候補の中から前記指示に対応するプリアンブルフォーマット又はランダムアクセス設定情報を用いて、ランダムアクセスを開始するランダムアクセス制御部とを有する。
2018203411.tif 000002
【特許請求の範囲】
【請求項１】
周波数帯に応じて定義されたプリアンブルフォーマットの候補又はランダムアクセス設定情報の候補を記憶する設定情報記憶部と、
基地局から、当該基地局とのランダムアクセスに用いられるプリアンブルフォーマット又はランダムアクセス設定情報の指示を受信する受信部と、
前記設定情報記憶部から、前記基地局とのランダムアクセスに用いられるプリアンブルフォーマットの候補又はランダムアクセス設定情報の候補を選択し、前記選択された候補の中から前記指示に対応するプリアンブルフォーマット又はランダムアクセス設定情報を用いて、ランダムアクセスを開始するランダムアクセス制御部と、
を有するユーザ装置。
【請求項２】
前記ランダムアクセス制御部は、前記基地局と通信するときの周波数帯に応じて、前記設定情報記憶部から、前記基地局との通信に用いるプリアンブルフォーマットの候補又はランダムアクセス設定情報の候補を選択する、請求項１に記載のユーザ装置。
【請求項３】
周波数帯に応じて定義されたプリアンブルフォーマットの候補又はランダムアクセス設定情報の候補を記憶する設定情報記憶部と、
前記設定情報記憶部から、ユーザ装置とのランダムアクセスに用いられるプリアンブルフォーマットの候補又はランダムアクセス設定情報の候補を選択し、前記候補の中から前記ユーザ装置とのランダムアクセスに用いられるプリアンブルフォーマット又はランダムアクセス設定情報の指示を送信する送信部と、
前記指示に対応するプリアンブルフォーマット又はランダムアクセス設定情報を用いて前記ユーザ装置により開始されたランダムアクセスに応答するランダムアクセス制御部と、
を有する基地局。
【請求項４】
ユーザ装置におけるランダムアクセス方法であって、
基地局から、当該基地局とのランダムアクセスに用いられるプリアンブルフォーマット又はランダムアクセス設定情報の指示を受信するステップと、
周波数帯に応じて定義されたプリアンブルフォーマットの候補又はランダムアクセス設定情報の候補を記憶する設定情報記憶部から、前記基地局とのランダムアクセスに用いられるプリアンブルフォーマットの候補又はランダムアクセス設定情報の候補を選択し、前記選択された候補の中から前記指示に対応するプリアンブルフォーマット又はランダムアクセス設定情報を用いて、ランダムアクセスを開始するステップと、
を有するランダムアクセス方法。
【請求項５】
基地局におけるランダムアクセス方法であって、
周波数帯に応じて定義されたプリアンブルフォーマットの候補又はランダムアクセス設定情報の候補を記憶する設定情報記憶部から、ユーザ装置とのランダムアクセスに用いられるプリアンブルフォーマットの候補又はランダムアクセス設定情報の候補を選択し、前記候補の中から前記ユーザ装置とのランダムアクセスに用いられるプリアンブルフォーマット又はランダムアクセス設定情報の指示を送信するステップと、
前記前記指示に対応するプリアンブルフォーマット又はランダムアクセス設定情報を用いて前記ユーザ装置により開始されたランダムアクセスに応答するステップと、
を有するランダムアクセス方法。
【請求項６】
複数の周波数帯で利用可能なプリアンブルフォーマットの候補又はランダムアクセス設定情報の候補を記憶する設定情報記憶部と、
前記設定情報記憶部から、ユーザ装置とのランダムアクセスに用いられるプリアンブルフォーマットの候補又はランダムアクセス設定情報の候補を選択し、前記候補の中から前記ユーザ装置とのランダムアクセスに用いられるプリアンブルフォーマット又はランダムアクセス設定情報の指示を送信する送信部と、
前記指示に対応するプリアンブルフォーマット又はランダムアクセス設定情報を用いて前記ユーザ装置により開始されたランダムアクセスに応答するランダムアクセス制御部と、
を有する基地局。
【発明の詳細な説明】
【技術分野】
【０００１】
本発明は、ユーザ装置、基地局及びランダムアクセス方法に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において、ＬＴＥ（Ｌｏｎｇ  Ｔｅｒｍ  Ｅｖｏｌｕｔｉｏｎ）及びＬＴＥ−Ａｄｖａｎｃｅｄの次世代の通信規格（５Ｇ又はＮＲ）が議論されている。ＮＲシステムにおいても、ＬＴＥ等と同様に、ユーザ装置（ＵＥ：Ｕｓｅｒ  Ｅｑｕｉｐｍｅｎｔ）が基地局（ｅＮＢ又はｅＮｏｄｅＢ）と接続を確立する場合又は再接続する場合に、ランダムアクセスを行うことが想定される。【０００３】
ＬＴＥ及びＬＴＥ−Ａｄｖａｎｃｅｄのランダムアクセスでは、ユーザ装置ＵＥは、セル内に用意された複数のプリアンブルの中から選択したプリアンブル（ＰＲＡＣＨ  ｐｒｅａｍｂｌｅ）を送信する。基地局ｅＮＢはプリアンブルを検出すると、その応答情報であるＲＡＲ（ＲＡＣＨ  ｒｅｓｐｏｎｓｅ）を送信する。ＲＡＲを受信したユーザ装置ＵＥは、ＲＲＣ  Ｃｏｎｎｅｃｔｉｏｎ  Ｒｅｑｕｅｓｔをｍｅｓｓａｇｅ３として送信する。基地局ｅＮＢは、ｍｅｓｓａｇｅ３受信後にコネクション確立のためのセル設定情報等を含むＲＲＣ  Ｃｏｎｎｅｃｔｉｏｎ  Ｓｅｔｕｐをｍｅｓｓａｇｅ４として送信する。自分のＵＥ  ＩＤがｍｅｓｓａｇｅ４に含まれていたユーザ装置ＵＥは、ランダムアクセス処理を完了し、コネクションを確立する。【０００４】
ランダムアクセスにおいて最初にプリアンブルを送信するためのチャネルは、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）と呼ばれ、ＰＲＡＣＨに関する設定情報（ＰＲＡＣＨ  Ｃｏｎｆｉｇｕｒａｔｉｏｎ）は、基地局ｅＮＢからユーザ装置ＵＥにインデックスによって通知される。すなわち、ユーザ装置ＵＥは、基地局ｅＮＢから通知されたＰＲＡＣＨ  Ｃｏｎｆｉｇｕｒａｔｉｏｎに基づいてＰＲＡＣＨのリソースを選択する。【０００５】
また、ＰＲＡＣＨ  Ｃｏｎｆｉｇｕｒａｔｉｏｎは、プリアンブルフォーマットとも対応しており、ユーザ装置ＵＥは、ＰＲＡＣＨ  Ｃｏｎｆｉｇｕｒａｔｉｏｎに対応するプリアンブルフォーマットを使用してプリアンブルを送信する（非特許文献１参照）。
【先行技術文献】
【非特許文献】
【０００６】
【非特許文献１】３ＧＰＰ  ＴＳ３６．２１１  Ｖ１４．２．０（２０１７−０３）
【発明の概要】
【発明が解決しようとする課題】
【０００７】
ＮＲにおいては、様々な周波数帯が利用可能になることが想定され、様々な周波数帯の特性を有効に利用するために、セルによって異なるサブキャリア間隔、サイクリックプレフィクス（ＣＰ：Ｃｙｃｌｉｃ  Ｐｒｅｆｉｘ）長等のパラメータが用いられるケースが想定される。例えば、周波数帯毎にドップラー影響、残留周波数オフセット等が異なるため、周波数帯によって適するサブキャリア間隔が異なる。例えば、広カバレッジの場合（すなわち、ＣＰ長が長い場合）には、小さいサブキャリア間隔を用いることで効率を高めることができる。このように、周波数帯毎の想定カバレッジに応じて適するサブキャリア間隔が異なる。例えば、高周波数帯でスロット長が０．１２５ｍｓの場合（すなわち、サブキャリア間隔が１２０ｋＨｚの場合）には、ＰＲＡＣＨにも大きいサブキャリア間隔を用いることで効率を高めることができる。このように、周波数帯毎のデータ通信に利用するスロットサイズ等に応じて適するサブキャリア間隔が異なる。また、例えば、高周波数帯でパスロスを補償するために基地局において細い多数の受信ビームを構成できるようにして、ＰＲＡＣＨ受信時にプリアンブル内で繰り返されるシンボル毎に異なる受信ビームを適用することができる。このように、周波数帯毎に想定される基地局の受信ビーム数が異なるため、周波数帯によって適するプリアンブル当たりのシンボル繰り返し数が異なる。【０００８】
想定される複数のサブキャリア間隔、複数のＣＰ長等のパラメータに応じてプリアンブルフォーマット又はＰＲＡＣＨ  Ｃｏｎｆｉｇｕｒａｔｉｏｎを定義すると、プリアンブルフォーマット又はＰＲＡＣＨ  Ｃｏｎｆｉｇｕｒａｔｉｏｎにおけるパラメータの組み合わせが増大し、プリアンブルフォーマット又はＰＲＡＣＨ  Ｃｏｎｆｉｇｕｒａｔｉｏｎを通知するときのオーバーヘッドが増大する。【０００９】
また、仮に想定される複数のサブキャリア間隔、複数のＣＰ長等に応じてプリアンブルフォーマット又はＰＲＡＣＨ  Ｃｏｎｆｉｇｕｒａｔｉｏｎを定義したとしても、周波数帯に応じて適するサブキャリア間隔、ＣＰ長等は異なるため、ユーザ装置及び基地局の試験において全てのプリアンブルフォーマット又はＰＲＡＣＨ  Ｃｏｎｆｉｇｕｒａｔｉｏｎを用いることは合理的でなく、試験項目が増大する。【００１０】
本発明は、周波数帯に応じてランダムアクセスのパラメータが異なる場合、ランダムアクセスのパラメータを通知するときのオーバーヘッドを削減すること又は試験を削減することを目的とする。
【課題を解決するための手段】
【００１１】
本発明の一形態に係るユーザ装置は、
周波数帯に応じて定義されたプリアンブルフォーマットの候補又はランダムアクセス設定情報の候補を記憶する設定情報記憶部と、
基地局から、当該基地局とのランダムアクセスに用いられるプリアンブルフォーマット又はランダムアクセス設定情報の指示を受信する受信部と、
前記設定情報記憶部から、前記基地局とのランダムアクセスに用いられるプリアンブルフォーマットの候補又はランダムアクセス設定情報の候補を選択し、前記選択された候補の中から前記指示に対応するプリアンブルフォーマット又はランダムアクセス設定情報を用いて、ランダムアクセスを開始するランダムアクセス制御部と、
を有することを特徴とする。
【発明の効果】
【００１２】
本発明によれば、周波数帯に応じてランダムアクセスのパラメータが異なる場合、ランダムアクセスのパラメータを通知するときのオーバーヘッドを削減すること又は試験を削減することが可能になる。
【図面の簡単な説明】
【００１３】
【図１】本発明の実施の形態における無線通信システムにおけるランダムアクセスを示す図である。
【図２】本発明の実施の形態に係る無線通信システムにおけるランダムアクセス手順を示すシーケンス図である。
【図３】周波数帯に応じて定義されたプリアンブルフォーマットのテーブルを示す概略図である。
【図４】周波数帯に応じて定義されたＰＲＡＣＨ  Ｃｏｎｆｉｇｕｒａｔｉｏｎのテーブルを示す概略図である。
【図５】試験時に周波数帯に応じて利用するプリアンブルフォーマットのテーブルを示す概略図である。
【図６】基地局の機能構成の一例を示すブロック図である。
【図７】ユーザ装置の機能構成の一例を示すブロック図である。
【図８】本発明の実施の形態に係る無線通信装置のハードウェア構成の一例を示す図である。
【発明を実施するための形態】
【００１４】
以下、図面を参照して本発明の実施の形態を説明する。なお、以下で説明する実施の形態は一例に過ぎず、本発明が適用される実施の形態は、以下の実施の形態に限られるわけではない。
【００１５】
本実施の形態において、適宜、ＬＴＥで規定された用語を用いて説明する。また、無線通信システムが動作するにあたっては、適宜、ＬＴＥで規定された既存技術を使用できる。ただし、当該既存技術はＬＴＥに限られない。また本明細書で使用する「ＬＴＥ」は、特に断らない限り、ＬＴＥ−Ａｄｖａｎｃｅｄ、及びＬＴＥ−Ａｄｖａｎｃｅｄ以降の方式を含む広い意味で使用する。また、本発明は、ランダムアクセスが適用されるＬＴＥ以外の方式にも適用可能である。
【００１６】
また、本実施の形態では、既存のＬＴＥで使用されているＲＡＣＨ、プリアンブル、ＰＲＡＣＨ  Ｃｏｎｆｉｇｕｒａｔｉｏｎ、プリアンブルフォーマット等の用語を使用しているが、これは記載の便宜上のためであり、これらと同様の信号、機能等が他の名称で呼ばれてもよい。
＜無線通信システムの概要＞
図１は、本実施の形態における無線通信システム１０の構成図である。図１に示すように、本実施の形態における無線通信システム１０は、基地局１００と、ユーザ装置２００とを含む。図１の例では、１つの基地局１００と１つのユーザ装置２００とが図示されているが、複数の基地局１００を有していてもよいし、複数のユーザ装置２００を有していてもよい。なお、基地局１００をＢＳと呼び、ユーザ装置２００をＵＥと呼んでもよい。
【００１７】
基地局１００は、１つまたは複数（例えば、３つ）の（セクタとも呼ばれる）セルを収容することができる。基地局１００が複数のセルを収容する場合、基地局１００のカバレッジエリア全体は複数のより小さいエリアに区分でき、各々のより小さいエリアは、基地局サブシステム（例えば、屋内用の小型基地局ＲＲＨ：Ｒｅｍｏｔｅ  Ｒａｄｉｏ  Ｈｅａｄ）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」「ｅＮＢ」、「セル」、および「セクタ」という用語は、本明細書では互換的に使用され得る。基地局１００は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）、フェムトセル、スモールセルなどの用語で呼ばれる場合もある。
【００１８】
ユーザ装置２００は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００１９】
ユーザ装置２００は、１つ又は複数の周波数帯を用いて基地局１００と通信することができる。本実施の形態では、周波数帯によってサブキャリア間隔等のパラメータが異なってもよい。周波数帯によって異なるパラメータには、例えば、サブキャリア間隔、ＣＰ長、プリアンブル系列長、プリアンブル系列パターン（例えば、Ｚａｄｏｆｆ−Ｃｈｕ系列が用いられるか、他の系列が用いられるか）、ＯＦＤＭシンボルの繰り返し数、プリアンブル（ＣＰ＋ＯＦＤＭシンボル）の繰り返し数等のうち１つ又は複数が含まれる。これらのパラメータは、プリアンブルフォーマット及び／又はランダムアクセス設定情報（以下、ＰＲＡＣＨ  Ｃｏｎｆｉｇｕｒａｔｉｏｎと呼ぶ）として基地局１００からユーザ装置２００に通知される。上記のパラメータはプリアンブルフォーマットの中で通知されてもよく、ＰＲＡＣＨ  Ｃｏｎｆｉｇｕｒａｔｉｏｎの中で通知されてもよい。例えば、プリアンブル系列長及びサブキャリア間隔等はプリアンブルフォーマットの中で通知され、他のパラメータはＰＲＡＣＨ  Ｃｏｎｆｉｇｕｒａｔｉｏｎの中で通知されてもよい。
【００２０】
さらに、ＰＲＡＣＨ  Ｃｏｎｆｉｇｕｒａｔｉｏｎは、ＰＲＡＣＨに用いられる時間／周波数リソース位置、時間／周波数ごとのリソース数、時間／周波数リソースが複数存在する場合のリソース間の間隔のうち１つ又は複数を含んでもよい。ＰＲＡＣＨ  Ｃｏｎｆｉｇｕｒａｔｉｏｎとプリアンブルフォーマットは別々に通知されてもよく、ＰＲＡＣＨ  Ｃｏｎｆｉｇｕｒａｔｉｏｎは、プリアンブルフォーマットを含んでもよい。
【００２１】
ユーザ装置２００は、基地局１００から通知されたプリアンブルフォーマット及び／又はＰＲＡＣＨ  Ｃｏｎｆｉｇｕｒａｔｉｏｎに従ってプリアンブルを送信する。
【００２２】
周波数帯によって異なるパラメータの数が増えるにつれて、パラメータを通知するときのオーバーヘッドが大きくなり、基地局１００とユーザ装置２００との間の試験項目も増加する。そこで、以下に、本実施の形態に係るランダムアクセス手順において、（１）効率的なパラメータ通知法、（２）効率的な試験法について説明する。
【００２３】
（１）効率的なパラメータ通知法
以下、ユーザ装置２００が基地局１００に対してランダムアクセス手順を開始するために、ユーザ装置２００が基地局１００からパラメータを受信する手順について説明する。図２は、本発明の実施の形態に係る無線通信システムにおけるランダムアクセス手順を示すシーケンス図である。
【００２４】
基地局１００及びユーザ装置２００は、周波数帯に応じて利用可能なプリアンブルフォーマットの候補及び／又はＰＲＡＣＨ  Ｃｏｎｆｉｇｕｒａｔｉｏｎの候補を定義して、例えばテーブルとして記憶する。テーブルは、予めシステム内で仕様によって決められてもよく、基地局１００からユーザ装置２００に通知されてもよい。なお、記憶する形式は必ずしもテーブル形式でなくてもよく、一部のパラメータ（例えば、サブキャリア間隔）のみが周波数帯に応じて定義されたリスト形式でもよい。以下では、テーブル形式を例に挙げて具体例を説明する。
【００２５】
例えば、図３に示すように、基地局１００及びユーザ装置２００は、低周波数帯で用いるプリアンブルフォーマットの候補をテーブル１として記憶し、高周波数帯で用いるプリアンブルフォーマットの候補をテーブル２として記憶する。上記のように、プリアンブルフォーマットは、サブキャリア間隔、ＣＰ長、プリアンブル系列長、プリアンブル系列パターン、ＯＦＤＭシンボルの繰り返し数、プリアンブルの繰り返し数等のうち１つ又は複数を含んでもよい。また、プリアンブルフォーマットのパターンを示すインデックスを含んでもよい。例えば、プリアンブルフォーマットの具体例として、（Ａ）プリアンブル系列長＝８３９、且つ、サブキャリア間隔＝１．２５ｋＨｚ、２．５ｋＨｚ又は５ｋＨｚの組み合わせ、（Ｂ）プリアンブル系列長＝１３９、且つ、サブキャリア間隔＝７．５ｋＨｚ、１５ｋＨｚ、３０ｋＨｚ、６０ｋＨｚ又は１２０ｋＨｚの組み合わせ、（Ｃ）プリアンブル系列長＝７１、且つ、サブキャリア間隔＝１５ｋＨｚ、３０ｋＨｚ、６０ｋＨｚ、１２０ｋＨｚ又は２４０ｋＨｚの組み合わせ等が用いられてもよい。この具体例において、（Ａ）、（Ｂ）及び（Ｃ）の場合に、それぞれのプリアンブル系列長に対して１つのサブキャリア間隔が選択されたとき３パターンの組み合わせが存在するため、３パターンのインデックスが付与されてもよい。なお、それぞれのプリアンブル系列長に対して複数のサブキャリア間隔が選択されてもよい。また、ＬＴＥで用いられるＣＰ長、ＯＦＤＭシンボルの繰り返し数、サブキャリア間隔のパラメータの組み合わせを指定したプリアンブルフォーマットが用いられてもよい。
【００２６】
図３に示すテーブル１を用いるかテーブル２を用いるかは、基地局１００及びユーザ装置２００においてそれぞれ選択される（Ｓ２０１）。テーブルの選択は、ユーザ装置２００が基地局１００と通信する周波数帯に応じて決められてもよく、基地局１００からユーザ装置２００にブロードキャスト情報等として通知されてもよい。例えば、４ＧＨｚ帯で通信するＵＥ１はテーブル１を用い、２８ＧＨｚ帯で通信するＵＥ２はテーブル２を用いる。プリアンブルフォーマットの候補には、Ｆｏｒｍａｔ  ａとＦｏｒｍａｔ  ａ'のように周波数帯によって異なるフォーマットが設定されてもよく、Ｆｏｒｍａｔ  ｂのように複数の周波数帯で同じフォーマットが設定されてもよい。また、テーブルの数は任意に設定することができ、例えば、３つ以上のテーブルが用いられてもよい。さらに、周波数帯とテーブルとの対応付けも任意に設定することができる。例えば、３つのテーブルが定義され、２ＧＨｚ〜１０ＧＨｚはテーブル１を用い、１０ＧＨｚ〜２０ＧＨｚはテーブル２を用い、２０ＧＨｚ以上はテーブル３を用いることとしてもよい。周波数帯とテーブルとの対応付けは、予めシステム内で仕様によって決められてもよく、基地局１００からユーザ装置２００にブロードキャスト情報、ＲＲＣ（Ｒａｄｉｏ  Ｒｅｓｏｕｒｃｅ  Ｃｏｎｔｒｏｌ）シグナリング、下り制御情報（ＤＣＩ：Ｄｏｗｎｌｉｎｋ  Ｃｏｎｔｒｏｌ  Ｉｎｆｏｒｍａｔｉｏｎ）等を用いて通知されてもよい。
【００２７】
ＰＲＡＣＨ  Ｃｏｎｆｉｇｕｒａｔｉｏｎについても同様に、図４に示すように、基地局１００及びユーザ装置２００は、低周波数帯で用いるＰＲＡＣＨ  Ｃｏｎｆｉｇｕｒａｔｉｏｎの候補をテーブル１として記憶し、高周波数帯で用いるＰＲＡＣＨ  Ｃｏｎｆｉｇｕｒａｔｉｏｎの候補をテーブル２として記憶する。上記のように、ＰＲＡＣＨ  Ｃｏｎｆｉｇｕｒａｔｉｏｎは、ＰＲＡＣＨに用いられる時間／周波数リソース位置、時間／周波数ごとのリソース数、時間／周波数リソースが複数存在する場合のリソース間の間隔、サブキャリア間隔、ＣＰ長、プリアンブル系列長、プリアンブル系列パターン、ＯＦＤＭシンボルの繰り返し数、プリアンブルの繰り返し数等のうち１つ又は複数を含んでもよい。さらに、ＰＲＡＣＨ  Ｃｏｎｆｉｇｕｒａｔｉｏｎは、プリアンブルフォーマットを含んでもよい。また、ＰＲＡＣＨ  Ｃｏｎｆｉｇｕｒａｔｉｏｎのパターンを示すインデックスを含んでもよい。
【００２８】
図４に示すテーブル１を用いるかテーブル２を用いるかは、基地局１００及びユーザ装置２００においてそれぞれ選択される（Ｓ２０１）。テーブルの選択は、ユーザ装置２００が基地局１００と通信する周波数帯に応じて決められてもよく、基地局１００からユーザ装置２００にブロードキャスト情報等として通知されてもよい。例えば、４ＧＨｚ帯で通信するＵＥ１はテーブル１を用い、２８ＧＨｚ帯で通信するＵＥ２はテーブル２を用いる。ＰＲＡＣＨ  Ｃｏｎｆｉｇｕｒａｔｉｏｎの候補には、Ｃｏｎｆｉｇ  ａとＣｏｎｆｉｇ  ａ'のように周波数帯によって異なるフォーマットが設定されてもよく、Ｃｏｎｆｉｇ  ｂのように複数の周波数帯で同じフォーマットが設定されてもよい。また、テーブルの数は任意に設定することができ、例えば、３つ以上のテーブルが用いられてもよい。さらに、周波数帯とテーブルとの対応付けも任意に設定することができる。例えば、３つのテーブルが定義され、２ＧＨｚ〜１０ＧＨｚはテーブル１を用い、１０ＧＨｚ〜２０ＧＨｚはテーブル２を用い、２０ＧＨｚ以上はテーブル３を用いることとしてもよい。周波数帯とテーブルとの対応付けは、基地局１００からユーザ装置２００にブロードキャスト情報、ＲＲＣ（Ｒａｄｉｏ  Ｒｅｓｏｕｒｃｅ  Ｃｏｎｔｒｏｌ）シグナリング、下り制御情報（ＤＣＩ：Ｄｏｗｎｌｉｎｋ  Ｃｏｎｔｒｏｌ  Ｉｎｆｏｒｍａｔｉｏｎ）等を用いて通知されてもよい。
【００２９】
基地局１００は、周波数帯に応じて選択されたテーブルに含まれるプリアンブルフォーマットの候補の中から、ユーザ装置２００とのランダムアクセスに用いられるプリアンブルフォーマットを決定し、決定したプリアンブルフォーマットの指示を送信する（Ｓ２０３）。同様に、基地局は、周波数帯に応じて選択されたテーブルに含まれるＰＲＡＣＨ  Ｃｏｎｆｉｇｕｒａｔｉｏｎの候補の中から、ユーザ装置２００とのランダムアクセスに用いられるＰＲＡＣＨ  Ｃｏｎｆｉｇｕｒａｔｉｏｎを決定し、決定したＰＲＡＣＨ  Ｃｏｎｆｉｇｕｒａｔｉｏｎの指示を送信する。（Ｓ２０３）。例えば、基地局１００は、４ＧＨｚ帯で通信するＵＥ１に対して、プリアンブルフォーマットのテーブル１の中からＦｏｒｍａｔ  ａを選択し、ＵＥ１にＦｏｒｍａｔ  ａの指示を送信する。また、基地局１００は、２８ＧＨｚ帯で通信するＵＥ２に対して、プリアンブルフォーマットのテーブル２の中からＦｏｒｍａｔ  ａ'を選択し、ＵＥ２に対してはＦｏｒｍａｔ  ａ'ではなく、Ｆｏｒｍａｔ  ａの指示を送信してもよい。また、Ｆｏｒｍａｔ  ａ及びＦｏｒｍａｔ  ａ'に同じインデックスを付与しておき、基地局１００は、インデックスを用いてプリアンブルフォーマットの指示を送信してもよい。同様に、基地局１００は、４ＧＨｚ帯で通信するＵＥ１に対して、ＰＲＡＣＨ  Ｃｏｎｆｉｇｕｒａｔｉｏｎのテーブル１の中からＣｏｎｆｉｇ  ａを選択し、ＵＥ１にＣｏｎｆｉｇ  ａの指示を送信する。また、基地局１００は、２８ＧＨｚ帯で通信するＵＥ２に対して、ＰＲＡＣＨ  Ｃｏｎｆｉｇｕｒａｔｉｏｎのテーブル２の中からＣｏｎｆｉｇ  ａ'を選択し、ＵＥ２に対してはＣｏｎｆｉｇ  ａ'ではなく、Ｃｏｎｆｉｇ  ａの指示を送信してもよい。また、Ｃｏｎｆｉｇ  ａ及びＣｏｎｆｉｇ  ａ'に同じインデックスを付与しておき、基地局１００は、インデックスを用いてＰＲＡＣＨ  Ｃｏｎｆｉｇｕｒａｔｉｏｎの指示を送信してもよい。なお、ＰＲＡＣＨ  Ｃｏｎｆｉｇｕｒａｔｉｏｎとプリアンブルフォーマットは別々に通知されてもよく、ＰＲＡＣＨ  Ｃｏｎｆｉｇｕｒａｔｉｏｎは、プリアンブルフォーマットを含んでもよい。
【００３０】
ユーザ装置２００は、周波数帯に応じて選択されたテーブル又は基地局からの通知により選択されたテーブルの中から、基地局からの指示（Ｓ２０３）に対応するプリアンブルフォーマット及び／又はＰＲＡＣＨ  Ｃｏｎｆｉｇｕｒａｔｉｏｎを用いて、ランダムアクセスを開始する（Ｓ２０５）。例えば、４ＧＨｚ帯で通信するＵＥ１は、基地局１００からのＦｏｒｍａｔ  ａ／Ｃｏｎｆｉｇ  ａという指示に対応するテーブル１のＦｏｒｍａｔ  ａ／Ｃｏｎｆｉｇ  ａを用いてプリアンブルを送信する。また、例えば、２８ＧＨｚ帯で通信するＵＥ２は、基地局１００からのＦｏｒｍａｔ  ａという指示に対応するテーブル２のＦｏｒｍａｔ  ａ'／Ｃｏｎｆｉｇ  ａ'を用いてプリアンブルを送信する。その後、基地局１００は、ユーザ装置２００に指示したプリアンブルフォーマット及び／又はＰＲＡＣＨ  Ｃｏｎｆｉｇｕｒａｔｉｏｎを用いてユーザ装置２００により開始されたランダムアクセスに対して、ＲＡＲをユーザ装置２００に送信し、ユーザ装置２００は基地局１００に接続要求を送信することにより、基地局１００と接続が確立される。
【００３１】
（２）効率的な試験法
図３及び図４では、周波数帯に応じてテーブルを定義する例について説明したが、全周波数帯で１つのテーブルにまとめることも可能である。すなわち、基地局１００及びユーザ装置２００は、複数の周波数帯で利用可能なプリアンブルフォーマットの候補及び／又はＰＲＡＣＨ  Ｃｏｎｆｉｇｕｒａｔｉｏｎの候補を定義して、例えば１つのテーブルとして記憶する。このとき、基地局１００とユーザ装置２００との間の試験項目を削減するために、試験のときに周波数帯に応じて利用するテーブルを定義してもよい。周波数帯に応じて利用するテーブルは、予めシステム内での試験に関する仕様で規定されてもよい。
【００３２】
図５に示すように、基地局１００とユーザ装置２００との間で利用可能なプリアンブルフォーマットとして、全周波数帯で利用可能な組み合わせ（例えば、Ｆｏｒｍａｔ  ａ、Ｆｏｒｍａｔ  ａ'、Ｆｏｒｍａｔ  ｂ、Ｆｏｒｍａｔ  ｃ、Ｆｏｒｍａｔ  ｃ'、...）を定義する。４ＧＨｚ帯で試験するユーザ装置に対しては、４ＧＨｚ帯に適したテーブル（Ｆｏｒｍａｔ  ａ、Ｆｏｒｍａｔ  ｂ、Ｆｏｒｍａｔ  ｃ、...）を定義して用いる。また、２８ＧＨｚ帯で試験するユーザ装置に対しては、２８ＧＨｚ帯に適したテーブル（Ｆｏｒｍａｔ  ａ'、Ｆｏｒｍａｔ  ｂ、Ｆｏｒｍａｔ  ｃ'、...）を定義して用いる。ＰＲＡＣＨ  Ｃｏｎｆｉｇｕｒａｔｉｏｎについても同様である。なお、図５では全周波数帯で利用可能な組み合わせを含むテーブルの他に、テーブル１及びテーブル２が別に定義されているが、全周波数帯で利用可能な組み合わせのテーブルに、周波数帯の情報を含めることで、テーブル１及びテーブル２を別に定義しなくてもよい。
【００３３】
基地局とユーザ装置との間のランダムアクセスの試験手順について、図２を参照して説明する。まず、図５に示すテーブル１を用いるかテーブル２を用いるかは、基地局１００において選択される（Ｓ２０１）。また、ユーザ装置２００においても、テーブル１を用いるかテーブル２を用いるかを選択してもよい。テーブルの選択は、ユーザ装置２００が基地局１００と通信する周波数帯に応じて決められてもよく、基地局１００からユーザ装置２００にブロードキャスト情報等として通知されてもよい。
【００３４】
基地局１００は、周波数帯に応じて選択されたテーブルに含まれるプリアンブルフォーマットの候補及び／又はＰＲＡＣＨ  Ｃｏｎｆｉｇｕｒａｔｉｏｎの候補の中から、ユーザ装置２００とのランダムアクセスに用いられるプリアンブルフォーマット及び／又はＰＲＡＣＨ  Ｃｏｎｆｉｇｕｒａｔｉｏｎを決定し、決定したプリアンブルフォーマット及び／又はＰＲＡＣＨ  Ｃｏｎｆｉｇｕｒａｔｉｏｎの指示を送信する（Ｓ２０３）。例えば、基地局１００は、４ＧＨｚ帯で通信するＵＥ１に対して、プリアンブルフォーマットのテーブル１の中からＦｏｒｍａｔ  ａを選択し、ＵＥ１にＦｏｒｍａｔ  ａの指示を送信する。また、基地局１００は、２８ＧＨｚ帯で通信するＵＥ２に対して、プリアンブルフォーマットのテーブル２の中からＦｏｒｍａｔ  ａ'を選択し、ＵＥ２に対してはＦｏｒｍａｔ  ａ'の指示を送信する。
【００３５】
ユーザ装置２００は、基地局からの指示（Ｓ２０３）に対応するプリアンブルフォーマット及び／又はＰＲＡＣＨ  Ｃｏｎｆｉｇｕｒａｔｉｏｎを用いて、ランダムアクセスを開始する（Ｓ２０５）。その後、基地局１００は、ユーザ装置２００に指示したプリアンブルフォーマット及び／又はＰＲＡＣＨ  Ｃｏｎｆｉｇｕｒａｔｉｏｎを用いてユーザ装置２００により開始されたランダムアクセスに対して、ＲＡＲをユーザ装置２００に送信し、ユーザ装置２００は基地局１００に接続要求を送信することにより、基地局１００と接続が確立される。
【００３６】
＜基地局の機能構成＞
図６は、基地局１００の機能構成の一例を示す図である。基地局１００は、送信部１１０と、受信部１２０と、設定情報管理部１３０と、ランダムアクセス制御部１４０とを有する。なお、図６で用いている機能部の名称は単なる例であり、他の名称が用いられてもよい。
【００３７】
送信部１１０は、上位レイヤの情報から下位レイヤの信号を生成し、当該信号を無線で送信するように構成されている。受信部１２０は、各種の信号を無線受信し、受信した信号から上位レイヤの情報を取得するように構成されている。
【００３８】
設定情報管理部１３０は、予め設定される設定情報を格納するとともに、ダイナミック及び／又はセミスタティックにユーザ装置２００に対して設定する設定情報（プリアンブルフォーマットのテーブル及び／又はＰＲＡＣＨ  Ｃｏｎｆｉｇｕｒａｔｉｏｎのテーブル、ランダムアクセスに用いるプリアンブルフォーマット及び／又はＰＲＡＣＨ  Ｃｏｎｆｉｇｕｒａｔｉｏｎ等）を決定し、保持する。設定情報管理部１３０は、ダイナミック及び／又はセミスタティックにユーザ装置２００に対して設定する設定情報を送信部１１０に渡し、送信部１１０に設定情報を送信させる。
【００３９】
ランダムアクセス制御部１４０は、ユーザ装置２００とのランダムアクセス手順を管理する。ランダムアクセス制御部１４０は、設定情報に基づいてユーザ装置２００から送信されたプリアンブルの検出を試みる。プリアンブルを検出した場合、ランダムアクセス制御部１４０は、送信部１１０にＲＡＲを送信させ、ユーザ装置２００からＲＲＣ  Ｃｏｎｎｅｃｔｉｏｎ  Ｒｅｑｕｅｓｔを受信した場合、送信部１１０にＲＲＣ  Ｃｏｎｎｅｃｔｉｏｎ  Ｓｅｔｕｐを送信させる。
【００４０】
＜ユーザ装置の機能構成＞
図７は、ユーザ装置２００の機能構成の一例を示す図である。ユーザ装置２００は、送信部２１０と、受信部２２０と、設定情報管理部２３０と、ランダムアクセス制御部２４０とを有する。なお、図７で用いている機能部の名称は単なる例であり、他の名称が用いられてもよい。
【００４１】
送信部２１０は、上位レイヤの情報から下位レイヤの信号を生成し、当該信号を無線で送信するように構成されている。受信部２２０は、各種の信号を無線受信し、受信した信号から上位レイヤの情報を取得するように構成されている。
【００４２】
設定情報管理部２３０は、予め設定される設定情報を格納するとともに、ダイナミック及び／又はセミスタティックに基地局１００等から設定される設定情報（プリアンブルフォーマットのテーブル及び／又はＰＲＡＣＨ  Ｃｏｎｆｉｇｕｒａｔｉｏｎのテーブル、ランダムアクセスに用いるプリアンブルフォーマット及び／又はＰＲＡＣＨ  Ｃｏｎｆｉｇｕｒａｔｉｏｎ等）を格納する。
【００４３】
ランダムアクセス制御部２４０は、基地局１００とのランダムアクセス手順を管理する。発信時又はハンドオーバ等により、ユーザ装置２００が基地局１００と接続を確立する場合又は再同期を行う場合、ランダムアクセス制御部２４０は、基地局１００から設定されたプリアンブルフォーマット及び／又はＰＲＡＣＨ  Ｃｏｎｆｉｇｕｒａｔｉｏｎに従って、プリアンブルを送信部２１０に送信させる。ランダムアクセス制御部２４０は、基地局１００からＲＡＲを受信した場合、送信部２１０にＲＲＣ  Ｃｏｎｎｅｃｔｉｏｎ  Ｒｅｑｕｅｓｔを送信させる。
【００４４】
＜ハードウェア構成例＞
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００４５】
例えば、本発明の一実施形態における基地局、ユーザ装置などは、本発明のランダムアクセス方法の処理を行うコンピュータとして機能してもよい。図８は、本発明の実施の形態に係る基地局１００又はユーザ装置２００である無線通信装置のハードウェア構成の一例を示す図である。上述の基地局１００及びユーザ装置２００は、物理的には、プロセッサ１００１、メモリ１００２、ストレージ１００３、通信装置１００４、入力装置１００５、出力装置１００６、バス１００７などを含むコンピュータ装置として構成されてもよい。
【００４６】
なお、以下の説明では、「装置」という文言は、回路、デバイス、ユニットなどに読み替えることができる。基地局１００及びユーザ装置２００のハードウェア構成は、図に示した各装置を１つ又は複数含むように構成されてもよいし、一部の装置を含まずに構成されてもよい。
【００４７】
基地局１００及びユーザ装置２００における各機能は、プロセッサ１００１、メモリ１００２などのハードウェア上に所定のソフトウェア（プログラム）を読み込ませることで、プロセッサ１００１が演算を行い、通信装置１００４による通信、及び／又は、メモリ１００２及びストレージ１００３におけるデータの読み出し及び／又は書き込みを制御することで実現される。
【００４８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。例えば、上述の基地局１００の送信部１１０、受信部１２０、設定情報管理部１３０、ランダムアクセス制御部１４０、ユーザ装置２００の送信部２１０、受信部２２０、設定情報管理部２３０、ランダムアクセス制御部２４０などは、プロセッサ１００１で実現されてもよい。
【００４９】
また、プロセッサ１００１は、プログラム（プログラムコード）、ソフトウェアモジュール及び／又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、基地局１００の送信部１１０、受信部１２０、設定情報管理部１３０、ランダムアクセス制御部１４０、ユーザ装置２００の送信部２１０、受信部２２０、設定情報管理部２３０、ランダムアクセス制御部２４０は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００５０】
メモリ１００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本発明の一実施形態に係るランダムアクセス方法を実施するために実行可能なプログラム（プログラムコード）、ソフトウェアモジュールなどを保存することができる。
【００５１】
ストレージ１００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００５２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の送信部１１０、受信部１２０、送信部２１０、受信部２２０などは、通信装置１００４で実現されてもよい。
【００５３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００５４】
また、プロセッサ１００１及び／又はメモリ１００２などの各装置は、情報を通信するためのバス１００７で接続される。バス１００７は、単一のバスで構成されてもよいし、装置間で異なるバスで構成されてもよい。
【００５５】
また、基地局１００及びユーザ装置２００は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
＜本発明の実施の形態の効果＞
本発明の実施の形態によれば、周波数帯に応じてランダムアクセスのパラメータが異なる場合、ランダムアクセスのパラメータを通知するときのオーバーヘッドを削減すること又は試験を削減することが可能になる。例えば、周波数帯に応じてパラメータの候補をテーブル形式等で記憶しておき、周波数帯に応じて参照するテーブルを選択することにより、ランダムアクセスのパラメータを通知するときのオーバーヘッドを削減することができ、また、試験を削減することができる。
【００５６】
ユーザ装置が周波数帯に応じてテーブルを選択することにより、テーブルの選択における基地局からユーザ装置への通知を省略することができ、シグナリング量を低減することができる。
【００５７】
なお、プリアンブルフォーマット毎にシンボル長、ＣＰ長等が異なり、その結果、ＰＲＡＣＨリソース位置、リソース数等に影響を与える場合があるため、プリアンブルフォーマットとＰＲＡＣＨ  Ｃｏｎｆｉｇｕｒａｔｉｏｎとを別々に制御する目的で、プリアンブルフォーマットとＰＲＡＣＨ  Ｃｏｎｆｉｇｕｒａｔｉｏｎとを別々に通知する方が好ましいケースが存在する。
【００５８】
一方、プリアンブルフォーマットとＰＲＡＣＨ  Ｃｏｎｆｉｇｕｒａｔｉｏｎとの間に依存関係が存在し、完全に別々に通知しても有用でない組み合わせが存在する可能性がある場合には、ＰＲＡＣＨ  Ｃｏｎｆｉｇｕｒａｔｉｏｎの中にプリアンブルフォーマットを含めることで、通知のためのオーバーヘッドを低減することができる。
【００５９】
＜補足＞
本明細書で説明した各態様／実施形態は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００６０】
本明細書で使用する「システム」および「ネットワーク」という用語は、互換的に使用される。
【００６１】
本明細書において基地局によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード（例えば、ＭＭＥまたはＳ−ＧＷなどが考えられるが、これらに限られない）によって行われ得ることは明らかである。上記において基地局以外の他のネットワークノードが１つである場合を例示したが、複数の他のネットワークノードの組み合わせ（例えば、ＭＭＥおよびＳ−ＧＷ）であってもよい。
【００６２】
情報等は、上位レイヤ（または下位レイヤ）から下位レイヤ（または上位レイヤ）へ出力され得る。複数のネットワークノードを介して入出力されてもよい。
【００６３】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【００６４】
情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、ブロードキャスト情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００６５】
判定は、１ビットで表される値（０か１か）によって行われてもよいし、真偽値（Boolean：trueまたはfalse）によって行われてもよいし、数値の比較（例えば、所定の値との比較）によって行われてもよい。
【００６６】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００６７】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００６８】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００６９】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００７０】
また、本明細書で説明した情報、パラメータなどは、絶対値で表されてもよいし、所定の値からの相対値で表されてもよいし、対応する別の情報で表されてもよい。例えば、無線リソースはインデックスで指示されてもよい。
【００７１】
上述したパラメータに使用する名称はいかなる点においても限定的に解釈されるべきではない。さらに、これらのパラメータを使用する数式等は、本明細書で明示的に開示した数式等と異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的に解釈されるべきではない。
【００７２】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００７３】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００７４】
本明細書で使用する「第１の」、「第２の」などの呼称を使用した要素へのいかなる参照も、それらの要素の量または順序を全般的に限定しない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００７５】
「含む（include）」、「含んでいる（including）」、およびそれらの変形が、本明細書あるいは請求の範囲で使用されている限り、これら用語は、用語「備える（comprising）」と同様に、包括的であることが意図される。さらに、本明細書あるいは請求の範囲において使用されている用語「または（or）」は、排他的論理和ではないことが意図される。
【００７６】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００７７】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的な通知に限られず、暗黙的（例えば、当該所定の情報の通知を行わない）ことによって行われてもよい。
【００７８】
以上、本発明について詳細に説明したが、当業者にとっては、本発明が本明細書中に説明した実施形態に限定されないということは明らかである。本発明は、請求の範囲の記載により定まる本発明の趣旨及び範囲を逸脱することなく修正及び変更態様として実施することができる。したがって、本明細書の記載は、例示説明を目的としており、本発明に対して何ら制限的な意味を有さない。
【符号の説明】
【００７９】
１００  基地局
１１０  送信部
１２０  受信部
１３０  設定情報管理部
１４０  ランダムアクセス制御部
２００  ユーザ装置
２１０  送信部
２２０  受信部
２３０  設定情報管理部
２４０  ランダムアクセス制御部
【図１】
2018203411.tif 000003
【図２】
2018203411.tif 000004
【図３】
2018203411.tif 000005
【図４】
2018203411.tif 000006
【図５】
2018203411.tif 000007
【図６】
2018203411.tif 000008
【図７】
2018203411.tif 000009
【図８】
2018203411.tif 000010
【国際調査報告】
2018203411.tif 000011
2018203411.tif 000012
2018203411.tif 000013
2018203411.tif 000014